(57)【特許請求の範囲】
【請求項１】
粘着剤層を有する上基材と、粘着剤層を保護する下基材とが積層一体化された積層構造を有し、所定間隔で連続方向に直行する折り線を有し、かつ、上基材に切り取り補助線で囲まれた伝票部が前記折り線間において連続方向に並ぶように配されている連続ラベル帳票であって、
前記折り線が前記上基材から下基材に至る深さのミシン目線であり、
前記帳票部を囲む切り取り補助線が、連続ラベル帳票の幅方向に延在する辺と前記折り線に直行する辺とを有し、その連続ラベル帳票の幅方向に延在する辺が、折り線に対して０．１０〜０．４０度傾斜している直線により構成されている、ことを特徴とする連続ラベル帳票。
【請求項２】
前記伝票部を囲む切り取り補助線が、折り線に対して非平行な辺と、折り線に対して直行する二辺とを有する平行四辺形をなしている請求項１記載の連続ラベル帳票。
【請求項３】
前記伝票部を囲む切り取り補助線が、折り線に対して非平行な辺と、折り線に対して直行する二辺とを有する六角形をなしている前記六角形である請求項１記載の連続ラベル帳票。
【請求項４】
粘着剤層を有する上基材と、粘着剤層を保護する下基材とが積層一体化された積層構造を有し、所定間隔で連続方向に直行する折り線を有し、かつ、上基材に切り取り補助線で囲まれた伝票部が前記折り線間において連続方向に並ぶように配されている連続ラベル帳票であって、
前記折り線が前記上基材から下基材に至る深さのミシン目線であり、
前記帳票部を囲む切り取り補助線が、連続ラベル帳票の幅方向に延在する辺と前記折り線に直行する辺とを有し、その連続ラベル帳票の幅方向に延在する辺が、湾曲線とされ、その湾曲幅が０．１６ｍｍ〜０．６３ｍｍであることを特徴とする連続ラベル帳票。
【発明の詳細な説明】
【技術分野】
【０００１】
本発明は、連続ラベル帳票に関する。
【背景技術】
【０００２】
図５及び６に示されるように、連続ラベル帳票Ｘ１００は、粘着剤層１０１Ａを有する上基材１０１と前記粘着剤層１０１Ａを保護する剥離紙或いは離型処理された紙等からなる下基材１０２（図中離型処理部分を符号１０２Ａで示す）とが積層一体化され、前記上基材１０１にハーフスリットやミシン目線等の切り取り補助線Ｌ１００で囲まれた伝票部１１０が配された構造をなす。使用にあたっては、前記切り取り線Ｌ１００を切り取りつつ伝票部１１０を下基材１０２から剥離して配送品等に貼付して使用する。
【０００３】
ここで、伝票部１１０は、一般に情報を理路整然と記載する必要があり、矩形の枠線とともに、当該枠内に記入すべき情報を示唆する表示等を印刷してなる。そして、伝票部は、かかる情報が理路整然と記入しやすく、また、配送品等に貼付したときに他のラベル等との区別しやすく、さらに、慣習的に矩形の伝票部が用いられてきたことにより使用者が認識しやすいことなど等の理由から、矩形であることが望ましいとされる。
【０００４】
そして、このように伝票部１１０にかかる切り取り補助線Ｌ１００を形成するにあたっては、図８に示されるように、円筒型シリンダー２００の外面に突出するようにカッター刃２１０を配したカッター刃付きシリンダーを、製造ラインに配置して、上基材１０１と下基材１０２とが積層一体化された連続紙をライン流れ方向に連続的に通紙させるとともに、前記カッター刃付シリンダーを回転させて、そのカッター刃２１０を上基材に接触させるようにして行なわれる（添付図面中、ライン流れ方向及び連続方向は同方向でありＭＤ方向と表示し、これに直行する連続ラベル帳票の幅方向はＣＤ方向と表示する。）。
【０００５】
他方、連続ラベル帳票Ｘ１００は、少なくとも製造時において帯状の連続紙の形態をなしており、この連続方向に所定間隔を開けて、幅方向に延在するように折り線Ｆが配されている。これは、図７に示されるように、マージナルＭを介して連続的に送られてくる連続ラベル帳票Ｘ１００が、印刷機１５０から排紙された際に、前記折り線Ｆで折り畳まれコンパクトに保管することができるようにするためである。
【０００６】
しかしながら、従来、連続ラベル帳票Ｘ１００は、矩形の伝票部１１０を構成する切り取り補助線Ｌ１００のうち、幅方向に延在する一辺１００Ａと前記折り線Ｆとが平行に配されており、印刷機１５０から排紙された後の折り畳みの際に、折り線Ｆで折れずに脆弱な当該平行な辺１００Ａで折れてしまう事故が生じていた。
【０００７】
上述のとおり連続ラベル帳票Ｘ１００は、製造時において連続紙であるため、このような事故が生じた場合に、ライン全体をストップさせる必要があり、操業時の大きな問題点となっていた。
【０００８】
また、上述のとおり切り取り補助線Ｌ１００を形成するにあたっては、シリンダーを回転させつつ、上基材にカッター刃２１０を接触させることで行なわれるが、この方法においてシリンダー２００にカッター刃２１０を装着するにあたって、従来の伝票部１１０のように完全な矩形の切り取り補助線Ｌ１００で形成する場合、連続方向に沿う辺を形成するためのカッター刃２１０Ｍ（折り線Ｆに直行する辺を形成するためのカッター刃）よりも、折り線Ｆに平行な辺１００Ａを形成するためのカッター刃２１０Ｃの接触タイミングが少なくなるため、この折り線Ｆに平行な辺１００Ａを形成するためのカッター刃２１０Ｃを、連続方向に沿う辺を形成するためのカッター刃２１０Ｍよりもシリンダー外面からより多く突出させるという極めて煩雑な各カッター刃の高さ調整を必要としていた。
【０００９】
さらに、この高さ調整が困難であるとともに、折り線Ｆに平行な辺１００Ａを形成するためのカッター刃を、連続方向に沿う辺を形成するためのカッター刃よりもシリンダー外面からより多く突出させる必要があることから、この折り線Ｆに平行な辺１００Ａが深く切断されることになり、より一層、上記印刷機１５０から排紙された際に、折り線Ｆ以外の前記辺１００Ａで折れるトラブルを発生させる要因となっていた。
【先行技術文献】
【特許文献】
【００１０】
【特許文献１】特開２００３−３４０９４号公報
【発明の概要】
【発明が解決しようとする課題】
【００１１】
そこで、本発明の主たる課題は、切り取り線部分で折れ難く、上記折り線にかかる折り畳み位置で折り畳まれる連続ラベル帳票を提供することにある。
【課題を解決するための手段】
【００１２】
上記課題を解決した本発明は次記のとおりである。
＜請求項１記載の発明＞
粘着剤層を有する上基材と、粘着剤層を保護する下基材とが積層一体化された積層構造を有し、所定間隔で連続方向に直行する折り線を有し、かつ、上基材に切り取り補助線で囲まれた伝票部が前記折り線間において連続方向に並ぶように配されている連続ラベル帳票であって、
前記折り線が前記上基材から下基材に至る深さのミシン目線であり、
前記帳票部を囲む切り取り補助線が、連続ラベル帳票の幅方向に延在する辺と前記折り線に直行する辺とを有し、その連続ラベル帳票の幅方向に延在する辺が、折り線に対して０．１０〜０．４０度傾斜している直線により構成されている、ことを特徴とする連続ラベル帳票。
【００１３】
＜請求項２記載の発明＞
前記伝票部を囲む切り取り補助線が、折り線に対して非平行な辺と、折り線に対して直行する二辺とを有する平行四辺形をなしている請求項１記載の連続ラベル帳票。
【００１４】
＜請求項３記載の発明＞
前記伝票部を囲む切り取り補助線が、折り線に対して非平行な辺と、折り線に対して直行する二辺とを有する六角形をなしている前記六角形である請求項１記載の連続ラベル帳票。
【００１５】
＜請求項４記載の発明＞
粘着剤層を有する上基材と、粘着剤層を保護する下基材とが積層一体化された積層構造を有し、所定間隔で連続方向に直行する折り線を有し、かつ、上基材に切り取り補助線で囲まれた伝票部が前記折り線間において連続方向に並ぶように配されている連続ラベル帳票であって、
前記折り線が前記上基材から下基材に至る深さのミシン目線であり、
前記帳票部を囲む切り取り補助線が、連続ラベル帳票の幅方向に延在する辺と前記折り線に直行する辺とを有し、その連続ラベル帳票の幅方向に延在する辺が、湾曲線とされ、その湾曲幅が０．１６ｍｍ〜０．６３ｍｍであることを特徴とする連続ラベル帳票。
【発明の効果】
【００１６】
本発明によれば、切り取り線部分で折れ難く、上記折り線にかかる折り畳み位置で折り畳まれる連続ラベル帳票を提供することにある。
【図面の簡単な説明】
【００１７】
【図１】本発明の連続ラベル帳票の平面図である。
【図２】本発明の連続ラベル帳票の伝票部を囲む切り取り補助線の第１形状例を示す図である。
【図３】本発明の連続ラベル帳票の伝票部を囲む切り取り補助線の第２形状例を示す図である。
【図４】本発明の連続ラベル帳票の伝票部を囲む切り取り補助線の第３形状例を示す図である。
【図５】従来の連続ラベル帳票の平面図である。
【図６】従来の連続ラベル帳票の断面図である。
【図７】連続ラベル帳票の製造例を示す概略図である。
【図８】連続ラベル帳票の製造工程を示す図である。
【発明を実施するための形態】
【００１８】
次いで、本発明の実施形態を図１〜１１を参照しながら以下に詳述する。ただし、本発明は、以下の実施形態に限定されるものではない。
【００１９】
本形態の連続ラベル帳票Ｘ１は、図６に示す従来の連続ラベル帳票と同様に、裏面に粘着剤層を有する上基材と、前記粘着剤層を被覆して保護する下基材とが積層一体化された積層構造を有する。
【００２０】
他方、本形態の連続ラベル帳票Ｘ１は、帯状の連続紙とされ、適宜所定間隔で連続方向に直行する方向に折り線Ｆが配されている。
【００２１】
この折り線Ｆは、ミシン目線、スリット線、ハーフスリット線などであるが、特に好ましくは、意図せず切断し難く、必要時に折れ易いミシン目線である。また、ミシン目線とするとこの折り線Ｆで意図して切り離して連続紙を枚葉にすることがで、使用時の利便性に優れるものとなる。なお。ミシン目線の具体的なカットタイ比やカット部の長さは既知の値とすることができる。
【００２２】
他方、上基材１の表面には、枠欄や当該枠内に記載すべき情報を指定する表示等、伝票として機能させるために必要な情報記入部が、フレキソ印刷、オフセット印刷、グラビア印刷等の既知の印刷技術によりを印刷され、これら情報記入部が前記切り取り補助線Ｌで囲まれて伝票部１０が形成されている。
【００２３】
なお、図示例の形態では、伝票部１０が、前記折り線Ｆで区画される単位シート枚に複数形成されているが、本発明では、必ずしも複数形成する必要はないし、また、複数形成されている場合であっても、その数は限定されない。
【００２４】
ここで、各基材１，２のベースとなる紙種は、特に限定されず、クラフト紙、上質紙、グラシン紙、パーチメント紙、レーヨン紙、コート紙等を使用することができる。
【００２５】
前記粘着層は、ホットメルト粘着剤、アクリル系粘着剤、天然ゴム系粘着剤、合成ゴム系粘着剤、シリコーン系粘着剤等の既知の粘着剤が層状、薄膜状、網目状に配されてなる部分であり、適宜の粘着力を有して、伝票部を配送品に貼付するためのものである。なお、粘着部２３の厚さは、特に限定されない。通常は、１０〜５０μｍ、好ましくは２０〜３０μｍ程度である。１０μｍ以下だと粘着力が不足し、伝票部が紛失するおそれがあり、５０μｍ以上になると粘着剤が基材からはみ出す恐れがある。なお、上記掲げた粘着剤のなかで最も好ましいのは乾燥性に優れ、乾燥後基材のぼこつきが少なく、印字適性が良好となるホットメルト粘着剤である。
【００２６】
他方、前記下基材２は、そのもの自体が剥離紙とされるほか、ベースとなる紙等の基材の少なくとも伝票部にかかる粘着剤層に対面する部位に、シリコーン、長鎖アルキルポリマー、ポリオレフィン、アルキド樹脂、フッ素化合物等の既知の離型剤を層状、薄膜状、網目状に適宜配してなる既知の離型処理をなしたものとすることができる。離型処理等の剥離機能によって、伝票部は切り取り補助線で他の部分から切り取られるとともに下基材から剥離されるようになる。
【００２７】
ここで、本発明の連続ラベル帳票Ｘ１は、特徴的に、図１及び２に示されるように、折り線Ｆと伝票部１０を囲む切り取り補助線Ｌのうち連続ラベル帳票Ｘ１の幅方向ＣＤに延在する辺１０Ａ（以下、幅方向延在辺という）が、前記折り線Ｆに対して０．１０〜０．４０度傾斜している直線Ｌ１，Ｌ１により構成されている（傾斜角の具体的な位置を図中αで示す）。図示の形態では、幅方向延在辺１０Ａは二本の直線Ｌ１，Ｌ１にからなり、連続方向ＭＤに沿う二辺Ｌ２，Ｌ２とともに、正確には六角形をなしている。しかし、本形態における幅方向延在辺Ｌ１，Ｌ１は、それを構成する直線が前記折り線Ｆに対して、０．１０〜０．４０度とわずかに傾斜しているだけであり、人の目には矩形として視認される。したがって、背景技術の欄に記載したような伝票部１０が矩形であるとされていることの利点がなくなるということはない。
【００２８】
そして、このように矩形として視認されるものでありながらも、幅方向延在辺１０Ａを構成する直線Ｌ１，Ｌ１が折り線Ｆに対して傾斜されていることで、本発明の伝票部１０は、製造時に印刷機から排紙された後の折り畳みの際に、当該幅方向延在辺１０Ａ位置において意図しない折れが発生することがなくなる。なお、より好ましい角度は０．２０〜０．３０度であり、０．１０度未満であると意図しない折れが防止される効果が十分ではなくなり、０．４０度を超えると矩形ではないと違和感のある形状と視認されることが多くなる。
【００２９】
また、このような角度とすることで、背景技術の欄で示したようにシリンダーにカッター刃を装着して切り取り補助線を形成する場合であっても、各カッター刃の高さをすべて同じ高さとしても十分に切り取り補助線が形成される。これにより、各カッター刃の調整が不要となるとともに、連続ラベル帳票Ｘ１の幅方向延在辺１０Ａが深くカットされることがなくなり、より一層、意図しない幅方向延在辺位置での折れが防止される。
【００３０】
ここで、上記説明の形態は、好ましく切り取り補助線Ｌで囲まれる形状が正確には六角形をなしている形態であるが、本発明においては、幅方向延在辺が折り線Ｆに対して０．１０〜０．４０度傾斜する直線からなればよく、したがって、他の形態として、図３に示すような平行四辺形であってもよい。また、上記の六角形以上の多角形であってもよい。但し、切り取り補助線Ｌの形成が容易であることから、上記六角形が最も適した形状である。
【００３１】
さらに、本発明の効果を奏する切り取り補助線Ｌの形状として、図４に示される当該幅方向延在辺１０Ａを湾曲線とした形態が例示できる。この場合、湾曲幅（図４のＹ長さ）は、０．１６ｍｍ〜０．６３ｍｍとするのが望ましい。この範囲であれば、印刷機から排紙されたときの意図しない幅方向延在辺１０Ａで折れが防止されるとともに、矩形に視認される。但し、湾曲する辺よりも直線的な辺のほうが、製造は容易である。
【実施例】
【００３２】
実際に従来の折り線に対して平行な辺を有する矩形の切り取り補助線で囲まれた伝票部を有する従来例と、本発明にかかる折り線と非平行な辺を有する切り取り補助線で囲まれた伝票部を有する実施例とにおいて、製造時における不具合の発生について試験した。
【００３３】
結果は、表１に示す。なお、表中の不良発生回数とは１０００綴りのラベル帳票を排出した際に発生した不良回数のことである。
【００３４】
【表１】
0005421035.tif 000002
【００３５】
なお、表１中における見た目の評価は以下の評価に基づくものである。
【００３６】
○：多角形、曲線であることが目視でわからない。
△：多角形、曲線であることが目視でわかるが、ラベルとして違和感を感じない。
×：多角形、曲線であることが目視でわかり、ラベルとして違和感を感じる。
【００３７】
表１に示されるとおり、まず、比較例１の完全矩形の従来のものについては、不良発生の回数が４回と多いのに対して、本願発明の実施例については、０又は１回しかなく、不良発生の頻度が極めて低く、しかも見た目においては、従来の完全矩形のものと変わらず、ラベルとしての違和感を感じることがない結果となった。
【００３８】
また、比較例２、５、７については不良発生は無かったものの、視覚的に矩形でないと視認でき、ラベルとして違和感のあるものとなった。
【００３９】
以上より、本発明によれば、矩形として視認でき、しかも切り取り線部分で折れ難く、折り線にかかる折り畳み位置で折り畳まれる連続ラベル帳票が提供される。
【符号の説明】
【００４０】
Ｘ１，Ｘ１００…連続ラベル帳票、１，１０１…上基材、１０１Ａ…粘着剤層、２，１０２…下基材、１０２Ａ…離型処理層、１５０…印刷機、Ｆ…折り線、１０，１１０…伝票部、Ｌ，Ｌ１００…伝票部にかかる切り取り補助線、Ｌ１…幅方向延在辺を構成する辺、Ｌ２…連続方向に沿う辺、１０Ａ，１００Ａ幅方向延在辺、ＣＤ…連続ラベル帳票の幅方向、ＭＤ…連続ラベル帳票の連続方向、Ｍ…マージナル、２００…円筒型シリンダー、２１０…Ｌ，Ｌ１００を形成するカッター刃
【図１】
0005421035.tif 000003
【図２】
0005421035.tif 000004
【図３】
0005421035.tif 000005
【図４】
0005421035.tif 000006
【図５】
0005421035.tif 000007
【図７】
0005421035.tif 000008
【図８】
0005421035.tif 000009
【図６】
0005421035.tif 000010